(57)【要約】  第１と第２の表面を具備して且つ２つ以上の電気デバイス間における電気的連絡を確立するように形成された電気コネクタが提供される。電気コネクタは、絶縁性ハウジングと、第１の表面から第２の表面へ配設された開口内に保持される弾性のある導電性の接点とを具備する。電気デバイスを接触させるために、接点は、２つの分岐した片持ち梁のバネアームがそこから伸張する中心部を具備しており、前記バネアームは電気コネクタのいずれかの表面を超えて突き出る。電流が接点を通り流れなければならない通路を短縮するために、一方のバネアームは、第２のバネアームの近位で伸張するベローズレッグで終結する。電気デバイス間に設置された場合に、バネアームは、共に変位して、ベローズレッグにより第２のバネアームを押圧させる。開口内に接点を保持するために、接点はまた絶縁性ハウジングに係合する中心部から伸張する保持部材を具備する。【特許請求の範囲】
【請求項１】
電気接点において、この電気接点が、
上部端部及び下部端部を形成する中心部と、
前記上部端部から上方向に角度を有する関係で伸張する第１のバネアームであって、第１のランド表面を具備する、第１のバネアームと、
前記下部端部から伸張する第２のバネアームであって、第２のランド表面と、前記下部端部と前記第２のランド表面との間に設置される、第２の接触表面と、を具備する、第２のバネアームと、
前記第１のランド表面から実質的に下方向に伸張するベローズレッグであって、第２の接触表面に近位の第１の接触表面を具備する、ベローズレッグと、
を具備しており、
それにより、前記第１と第２のバネアームのお互いに向かう変位は、前記第１と第２の接触表面を共に押圧する電気接点。
【請求項２】
空隙が前記第１の接触表面を前記第２の接触表面から分離する請求項１に記載の電気接点。
【請求項３】
前記中心部は実質的に平らである請求項１に記載の電気接点。
【請求項４】
前記第１のランド表面は、前記第１のバネアームを前記ベローズレッグに連結する曲げ部により区画される請求項１に記載の電気接点。
【請求項５】
前記第２のバネアームは実質的に下方向に曲がる請求項１に記載の電気接点。
【請求項６】
前記第２のランド表面は、前記曲げ部により区画される請求項５に記載の電気接点。
【請求項７】
前記第２のバネアームは前記第２のランド表面において終結する請求項６に記載の電気接点。
【請求項８】
前記第１のランド表面は実質的に上方向に曲がる請求項１に記載の電気接点。
【請求項９】
前記ベローズレッグは前記第１の接触表面において終結する請求項１に記載の電気接点。
【請求項１０】
前記ベローズレッグは前記中心部に向かって曲がっており、前記曲げ部は前記第１のランド表面と前記第１の接触表面との間に設置される請求項９に記載の電気接点。
【請求項１１】
前記中心部は保持部材を具備する請求項１に記載の電気接点。
【請求項１２】
前記保持部材は、前記中心部から伸張するツイスト翼であり、前記ツイスト翼は前記中心部に対して捻られる下部分を具備する請求項１１に記載の電気接点。
【請求項１３】
前記保持部材は、前記中心部から平行に突き出る曲げ可能な保持柱である請求項１１に記載の電気接点。
【請求項１４】
前記曲げ可能な保持柱は、上部捕獲部分と下部捕獲部分とを具備する請求項１３に記載の電気接点。
【請求項１５】
前記上部捕獲部分と前記下部捕獲部分は、前記中心部に対して同一平面にはない請求項１４に記載の電気接点。
【請求項１６】
前記電気接点は、シート材料から型打ち抜きされたブランクにより形成される請求項１に記載の電気接点。
【請求項１７】
前記シート材料はベリリウム銅（ＢｅＣＵ）である請求項１に記載の電気接点。
【請求項１８】
電気コネクタにおいて、この電気コネクタが、
第１の表面と、第２の表面と、前記第１の表面から前記第２の表面まで配置された複数の開口と、を具備する絶縁性ハウジングと、
各開口内の接点と、を具備しており、
前記接点は、
前記開口内の中心部と、
前記中心部の上部端部から伸張していて且つハウジングの前記第１の表面上において突き出る第１のランド表面で終結する、第１のバネアームと、
前記中心部の下部端部から下方向に伸張していて且つハウジングの前記第２の表面下において突き出る第２のランド表面を具備する、第２のバネアームと、
前記第１のランド表面から、前記第２のバネアームに沿って設置される第２の接触表面に近位の第１の接触表面まで伸張するベローズレッグと、
を具備しており、
それにより、前記第１と第２のバネアームのお互いに向かう変位は、前記第１の接触表面と前記第２の接触表面を共に押圧する電気コネクタ。
【請求項１９】
前記接点は、前記開口内に前記接点を保持するための保持部材を具備する請求項１８に記載の電気コネクタ。
【請求項２０】
前記開口は側壁を具備しており、前記保持部材は前記側壁を捕えるための曲げ可能な保持柱である請求項１９に記載の電気コネクタ。
【請求項２１】
前記曲げ可能な保持柱は、前記中心部から離れるように伸張し、前記側壁の周りで部分的に曲がる、上部分と下部分とを具備する請求項２０に記載の電気コネクタ。
【請求項２２】
前記開口は、前記第２の表面から接近可能なスロットを具備しており、前記保持部材は前記スロット内に収容される保持翼である請求項１９に記載の電気コネクタ。
【請求項２３】
前記スロットは、前保持翼を捕えるためであって且つ前記スロット内に形成された、突起を具備する請求項２２に記載の電気コネクタ。
【請求項２４】
前記開口は、前記第２の表面から接近可能なスロットを具備しており、更に前記保持部材は、前記中心部から突き出るツイスト翼であり、前記ツイスト翼は、前記中心部に対して捻られる下部分を具備しており、前記捻られた下部分は、前記ツイスト翼が前記スロット内に収容される場合に、干渉して適合する状態を形成する請求項１９に記載の電気コネクタ。
【請求項２５】
前記開口は、前記第２の表面から接近可能で且つ前記第１の表面に向かって部分的に配設されるスロットを具備しており、更に前記保持部材は、前記中心部から突き出るとげ付き翼であり、前記とげ付き翼は、突き出るとげを具備しており、前記とげは、前記とげ付き翼が前記スロット内に収容される場合に、干渉して適合する状態を形成する請求項１９に記載の電気コネクタ。
【請求項２６】
前記第１の接触表面を前記第２の接触表面は、前記第１のバネアームがお互いに向かって変位しない場合に、空隙により分離させられる請求項１８に記載の電気コネクタ。
【請求項２７】
前記第１と第２のバネアームのお互いに向かう連続的な変位により、前記第２の接触表面は前記ベローズレッグに沿って滑らされる請求項１８に記載の電気コネクタ。
【請求項２８】
前記第２の接触表面の滑動による変位は、前記第１と第２のバネアームの変位の方向に対して実質的に垂直である請求項２７に記載の電気コネクタ。
【請求項２９】
第１の表面と、第２の表面と、側壁を形成する開口と、を具備する電気コネクタのための電気接点において、この電気接点は、
前記第１の表面を超えて突き出るための第１の接触表面と、
前記第２の表面を超えて突き出るための第２の接触表面と、
中心部と、更に
前記側壁を捕えるために、前記中心部から突き出る曲げ可能な保持柱と、
を具備する電気接点。
【請求項３０】
前記保持柱は、前記側壁の周りで部分的に曲がる上部分と下部分とを具備する請求項２９に記載の電気接点。
【請求項３１】
前記電気接点は、シート材料から型打ち抜きされたブランクにより形成される請求項３０に記載の電気接点。
【請求項３２】
前記第１の接触表面及び前記第２の接触表面は共に前記中心部から伸張する請求項３１に記載の電気接点。
【請求項３３】
電気コネクタにおいて、この電気コネクタが、
第１の表面と、第２の表面と、前記第１の表面から前記第２の表面まで配置された複数の開口と、を具備する絶縁性ハウジングと、
少なくとも１つの開口内に浮遊するように保持される弾性のある接点と、
を具備する電気コネクタ。
【請求項３４】
前記弾性のある接点は、前記第１の接触表面の上で突き出る第１のバネアームと、前記第２の接触表面の下で突き出る対向する第２のバネアームと、を具備する請求項３３に記載の電気コネクタ。
【請求項３５】
前記浮遊する弾性のある接点は、前記絶縁性ハウジングに対して垂直方向に移動可能である請求項３４に記載の電気コネクタ。
【請求項３６】
前記浮遊する弾性のある接点は、前記絶縁性ハウジングに対して水平方向に移動可能である請求項３５に記載の電気コネクタ。
【請求項３７】
前記弾性のある接点は、シート材料から型打ち抜きされて形成される請求項３３に記載の電気コネクタ。
【請求項３８】
各前記開口は側壁を具備しており、前記弾性のある接点は、前記開口内に前記弾性のある接点を浮遊するように保持するためで且つ前記側壁を捕える曲げ可能な保持柱を具備する請求項３３に記載の電気コネクタ。
【請求項３９】
各前記開口は、前記第２の表面から前記第１の表面に向かう途中に配設されていて且つ出っ張りで終結する、スロットを具備しており、前記スロットは、前記第２の表面に近位の突起を有しており、更に
前記弾性のある接点は、前記スロット内に収容されていて且つ前記出っ張りと突起との間において捉えられる、保持翼を具備する、
請求項３３に記載の電気コネクタ。
【請求項４０】
第１の回路構成要素と第２の回路構成要素との間の電気的連絡を確立する方法において、この方法は、
中心部と、前記中心部から上方向に伸張する第１のバネアームと、前記中心部から実質的に下方向に伸張する対向する第２のバネアームと、第１の接触表面と、対向する第２の接触表面と、を具備する導電性接点を提供する手順と、
前記第１と第２の要素間に前記接点を設置する手順と、
前記第１と前記第２の要素間の前記接点を押圧することにより、第１の方向において、前記第１のバネアームと前記第２のバネアームをお互いに向かって変位させる手順と、
前記第１と第２のバネアームの前記変位の結果として、前記第１の接触表面と前記第２の接触表面を共に押圧する手順と、
前記第１と第２のバネアームの連続的な前記変位の結果として、第２の方向において、前記第１と第２の接触表面をお互いに対して滑動させる手順と、
を具備しており、
前記第１の方向と前記第２の方向は、お互いに対して実質的に垂直である方法。
【請求項４１】
前記第１の接触表面は、前記第１のバネアームから実質的に下方向に伸張するベローズレッグ上に設置されており、前記第２の接触表面は、前記第２のバネアームに沿って設置される、請求項４０に記載の方法。
【請求項４２】
前記第１と第２のバネアームを、前記第１の方向において、お互いから離れるように変位させないことにより、前記接点を回復させる手順を、更に具備する請求項４１に記載の方法。
【請求項４３】
前記第１と第２の接触表面は、空隙により分離されており、更に
前記第１と第２の接触表面を共に押圧することにより、前記空隙を排除する、請求項４２に記載の方法。
【請求項４４】
前記接点を前記回復させる手順は、前記空隙を再形成することを含む請求項４３に記載の方法。
【発明の詳細な説明】
【技術分野】
【０００１】
本発明は、一般的に電気接続部に係り、より特別には、導電性接点を有する電気コネクタ（接続部）に関する。本発明は、回路構成要素を電気的に相互接続する分野において特に適する。
【背景技術】
【０００２】
多数の型式の電気コネクタは、２つ以上の回路構成要素を電気的に連結するために一般的に使用されている。例えば電気コネクタは、ＩＣ（集積回路）パッケージの接触パッドとプリント回路基板等の基板の導電性トレース（回路形成線）との間の導電性通路を形成するために使用される場合がある。この状態及び同様な状態に使用される一般的なコネクタは、低い外形の絶縁ハウジングを具備しており、前記ハウジングは複数の導電性接点を保持して、ＩＣパッケージと基板との間に設置可能である。ＩＣパッケージと基板が一所に押圧される場合に、接点は、ハウジングのそれぞれの表面を超えて突き出て、接点パッドと導電性トレースに同時に接触する。
【発明の開示】
【０００３】
接点が、弾力性の性質を有することが好ましく、それにより前記パッドとトレースとの間で変形可能で、更にそれらに対して強制的に押し戻されることができることが好ましい。関連した事項として、接点は、種々の型式のハウジング、パッド及びトレースと互換性があるように、変位の実質的な範囲を形成する必要がある。電流がハウジングを横切り流れなければならない導電性通路が、できるだけ直接的で短いことが好ましい。また、接点は、接点とパッドと導電性トレースとの間の電気接触を最適化するような状態で、形づくられ且つハウジング内に保持されなければならない。
従って、所望の弾性、範囲、短縮された電気通路及び最適化された接点を提供する改善された電気接点に関する必要性が存在する。
【０００４】
本発明は、絶縁性ハウジングを通り配設される開口内に保持されて、組み立てられた電気コネクタを形成可能である、弾性のある接点を提供する。前記接点は、２つの片持ち式バネアームが、分岐する状態でそこから伸張する、中心部分を有する。各バネアームの端部は、ハウジングの表面を超えて突き出て接点パッド又は導電性トレースに接触する、ランド表面を形成する。接点を通る電気通路を短くするために、１つのバネアームの端部から第２のバネアームに向かう方向で、細長いベローズレッグ（蛇腹状脚部）が伸張している。第２のバネアームの近位のベローズレッグの一部は、第２のバネアームの部分として形成される同様な第２の接触表面に対向する、第１の接触表面を形成する。
【０００５】
接触パッドと導電性トレースがお互いに向かって押圧される場合に、片持ち式バネアームは同様にお互いに向かって変位させられる。２つの接触表面はそれにより、共に押圧されて、短縮された電気通路を生成する。接触表面がお互いに対して摩耗的に滑ることを防止するために、各接触表面は曲線形状を有するように形成されることが好ましい。共に押圧される場合に、曲線形状の先端はお互いに接触する。先端がお互いに関して円滑に滑ることを可能にするために、ベローズレッグは、第２の接触表面が前記ベローズレッグ上を滑ることを可能にし、それによりバネアームの連続的な変位（又は撓み）を可能にする、弾性を生じるように形成される。第２の接触表面とベローズレッグ間の滑動の方向は、バネアームが変位する平面に垂直であることが好ましい。
【０００６】
本発明の別の形態において、絶縁性ハウジング内での接触を維持するために、接点は、中心部の側部から外側に伸張する、保持部材を具備可能である。実施の形態において、保持部材は、接点が開口に対して浮遊可能であって、接点が接触パッド及び導電性トレースの位置へ調整可能である状態で、絶縁性ハウジングに係合するように形成可能である。実施の形態において、保持部材は接点を絶縁性ハウジングに堅固に接続するように形成可能である。
【発明を実施するための最良の形態】
【０００７】
以下図面を参照するが、図面においては、同様な参照番号は同様な要素を説明しており、例示の出願における本発明の電気接点を保持するように形成された例示の電気コネクタ（接続部）１０２が図１に示される。電気コネクタは、複数の導電性接触パッド又はランドを具備する、ＩＣ（集積回路）パッケージ１０４と１つ以上の導電性トレース（回路形成線）を具備する基板１０６との間に設置される。ＩＣパッケージ１０４の接触パッドと基板１０６の電気トレースとの間に電気的導通を形成するために、電気コネクタ１０２は、絶縁性ハウジング１１０内に保持される複数の電気接点（以下で、接点とも言う）１００を具備する。図１に示されるように、接点１００を保持するために、絶縁性ハウジング１１０は、第１の表面１１４から第２の表面１１６へそこを通り配設される複数の開口１１２を具備する。開口１１２は、ＩＣパッケージ１０４の接触パッドと基板１０６の導電性トレースの位置に対応するように配置される。図２及び３に示されるように、接点１００が開口１１２内に適切に挿入される場合に、接点の一部分は、第１と第２の表面の両者から突き出るので、接触パッドと導電性トレースとの電気的接触を形成可能である。
【０００８】
本発明が、ＩＣパッケージと基板との間の電気的接続を形成するという内容で説明される場合に、本発明が例えば、２つの回路形成基板等の別のタイプの電気的要素間の電子的接続に対しても同様に適用可能であることは直ちに認識される。
【０００９】
電気接点１００の実施の形態は図４に、より良好に図示される。電気接点１００は、上部端部１２２と下部端部１２４により形成される実質的に平らな中心部１２０を有する。方向付けの目的で、上部端部１２２は、電気接点に対して上方向を規定し、下部端部１２４は、電気接点１００に対して下方向を規定する。しかし、用語「上方向の」及び「下方向の」は相対的であり、発明的電気接点を限定するように解釈されるべきではない。中心部１２０は、中心部が与えられた幅１３６を有するように、上部端部１２２と下部端部１２４との間で伸張する、第１の側部１３０と第２の側部１３２を更に形成する。図示される実施の形態において、中心部１２０の幅は概略０．６１ｍｍ（０．０２４インチ）であても良い。
【００１０】
第１のバネアーム１４０は、上端部１２２から角度が付けられた状態で上方向に伸張する。第１のバネアームは、第１のバネアームが中心部に対して変位する（又は撓む）ことができるような、片持ち梁の状態で中心部１２０に取り付けられる。第１のバネアーム１４０は、上部端部１２２より上の位置における曲線の第１のランド表面１４２において終結する。従って、図５と６に示されるように、電気接点１００が開口１１２内に正しく設置される場合に、第１のランド表面１４２は、ＩＣパッケージ１０４上のパッド１０５の近位で、ハウジングの第１の表面上に突き出る。
【００１１】
図７と８を参照すると、ＩＣパッケージ１０４は絶縁性ハウジング１１０の第１の表面１１４に対して押圧されるか又はクランプされる（締結される）ので、パッド１０５は、第１のバネアーム１４０を中心部１２０に対して下方向に変位させる。実際には、第１のバネアーム１４０は、開口１１２内に部分的に又は全体的に変位させられても良い。第１のバネアーム１４０の片持ち張りの性質及び接触材料の弾性により、変位した第１のバネアーム１４０は、パッド１０５に対して上方向の接触力を作用して、適切な電気的接続を確保する。
【００１２】
図７及び８に示すように、接触パッド１０５は、曲面の第１のランド表面１４２に正接的に接触しており、それにより片持ち梁の第１のバネアームにより生成された接触力を集中させる。加えて、第１のランド表面１４２の曲線形状により、第１のランド表面が接触パッド１０５を突き抜くか又は貫通する傾向はより小さくなる。更にまた、第１のランド表面１４２及び第１のバネアーム１４０は、中心部１２０と実質的に同じ幅で形成可能である。従って、その様な実施の形態において、第１のランド表面１４２の幅は、接触パッド１０５が接触するのに十分な寸法を提供する。
【００１３】
図４を参照すると、ベローズレッグ（蛇腹式脚部）１５０が第１のランド表面１４２から実質的に下方向に伸張している。図示される実施の形態において、ベローズレッグ１５０は、中心部１２０に実質的に平行に伸張する第１の部分１５６と、第１のバネアーム１４０に実質的に平行に伸張する第２の部分１５７とを具備する。第１と第２の部分１５６，１５７は、中心部１２０の垂直方向の位置に概略対応する曲げ部（ベンド）１５４において共に連結させられる。図示される実施の形態において、曲げ部の角度は９０度より小さいので、第２の部分は中心部に対して、実質的に下方向に伸張し続ける。ベローズレッグ１５０は、第１のバネアーム１４０に向かって上方向に少し曲がる第１の接触表面１５２において終結する。第１の接触表面１５２は、中心部１２０の下部端部１２４の上又は下に設置可能である。図示されるように、第１の接触表面１５２及びベローズレッグ１５０は、中心部１２０及び第１のバネアーム１４０と同じ幅で形成可能である。
【００１４】
図４を参照すると、第２のランド表面１６２で終結する第２のバネアーム１６０が、中心部１２０の下部端部１２４から伸張している。第２のバネアーム１６０は、片持ち梁の状態で下部端部１２４に取り付けられた第１の部分１６６を具備する。第１の部分１６６はまた、実質的に下方向で第２の部分１６７を向く曲線部（カーブ）１６４により第２の部分１６７に取り付けられる。その様な状態で、図示される実施の形態において、第２のランド表面１６２は下部端部１２４の下にある。従って、図５及び６に示されるように、電気接点１００が開口１１２内に正しく設置されると、第２のランド表面１６２は、基板１０６上の電気トレース１０７の近位で絶縁性のハウジング１１２の第２の表面１１６の下で突き出る。また、第２のバネアーム１６０が中心部１２０に取り付けられる片持ち梁の状態により、第２のバネアームは中心部に対して変位する（又は撓む）ことが可能である。
【００１５】
図７及び８を参照すると、基板１０６が絶縁性ハウジング１１０の第２の表面１１６に押圧されるか又はクランプ（締結）されるので、電気トレース１０７は、第２のバネアーム１６０を中心部１２０に対して上方向に変位させる。実際には、第２のバネアーム１６０は、開口１１２内に部分的又は全体的に変位させられても良い。第２のバネアーム１６０の片持ち梁の性質及び接触材料の弾性により、変位させられた第２のバネアームは、電気トレース１０７に対して下方向の接触力を作用させて、適切な電気接続を確保する。
【００１６】
電気トレース１０７と第２のランド表面１６２との間の接触を最適化するために、第２のランド表面は、少し上方向に曲がるように形成される。理解されるように、電気トレース１０７は、曲面の第２のランド表面１６２の先端に正接的に接触するので、それにより第２のバネアーム１６０により生成された接触力を集中する。加えて、第２のランド表面１６２の滑らかで曲線的形状により、第２のランド表面が電気トレース１０７を突き抜くか又は貫通する傾向はより少ない。また、第２のランド表面１６２は、中心部１２０の幅と同じか又は、図示されるように、より大きな幅で形成可能である。従って、その様な実施の形態において、第２のランド表面１６２の幅は、電気トレース１０７が接触するために十分な寸法を提供する。
【００１７】
図４を参照すると、曲線部（カーブ）１６４は、第１の部分１６６と第２の部分１６７との間に設置される、第２の接触表面として機能可能である。第２の接触表面１６４は、第１の接触表面１５２の概略下に設置されて、２つの接触表面は、図５と６に示されるように、対向する曲線として示されることが好ましい。図５と６に示される実施の形態において、第１と第２の接触表面１５２，１６４は、空隙（ギャップ）１６８により分離される。空隙１６８を形成することの利点は、第１と第２の接触表面１５２，１６４が接触の生成の間に容易にメッキ（又は被覆）可能であることである。
【００１８】
図７及び８を参照すると、第１と第２のバネアーム１４０，１６０がＩＣパッケージ及び／又は基板によりお互いに向かって変位させられると、第１の接触表面１５２は、第２の接触表面１６４に対して押圧されるので、それにより空隙を除去する。このことは、電流が接点１００を通り流れなければならない電路を短くする結果となる。ベローズレッグ１５０とバネアーム１６０との間の接触は、曲面の第１の接触表面１５２と曲面の第２の接触表面１６４の先端に沿って正接的に生じるので、第１と第２の接触表面の摩耗、及び両者の損傷又は溶融の傾向は減少する。バネアームを変位させる力が取り除かれると、接触材料の弾性は、接触表面１５２，１６４を分離させて、図５及び６に示される空隙１６８を再生させる。また、ベローズレッグ１５０及び第２のバネアーム１６０の幅が中心部１２０と同様又は同じである場合に、接触表面は、それを横切り接触が発生可能な適切な寸法を有する。
【００１９】
好適には、図２，３，５及び６を参照すると、第１と第２のバネアーム１４０，１６０は、絶縁性ハウジング１１０の第１と第２の表面１１４，１１６を超えて、実質的な量で突き出ていない。これは、バネアーム１４０，１６０が、変位の間に過剰に歪まされる機会を減少させるので、それにより永久的に変形させられることを回避する。これはまた、突き出るバネアーム１４０，１６０が、異物との予期せぬ接触により曲げられるかあるいは損傷させられる機会を減少させる。
【００２０】
図５及び６を参照すると、第２の接触表面１６４が第２のバネアーム１６０の長さの範囲内に設置されており、中央部１２０と実質的に同じ幅を有するので、第１の接触表面１５２が押圧するための十分な量の表面積が存在することが分かる。即ち、第１と第２の接触表面１５２，１６４間における正確な整列は必要ではない。更に、ベローズレッグ１５０及び第１の接触表面１５２は、電気トレース１０７に対して下方向に第２のバネアームを押圧するように機能することが認識される。
【００２１】
図７及び８を参照すると、第１と第２のバネアーム１４０，１６０が、第１と第２の接触表面１５２，１６４間の最初の接触後に、お互いに向かって更に変位可能にするために、第２のバネアーム及びベローズレッグ１５０は、第２の接触表面１６４がベローズレッグに沿って滑るように形成可能である。より特別には、接触材料の弾性のある性質は、第１のランド表面１４２と曲げ部（ベンド）１５４において自身の上で、ベローズレッグ１５０が曲がることを可能にする。従って最初の接触後、第２の接触表面１６４は、ベローズレッグが第１のバネアーム１４０に向かって上方向に変位させられるので、ベローズレッグ１５０の第２の部分１５７に沿って滑動可能である。従って、第１の接触表面１５２は、ベローズレッグ１５０が曲がるので、中心部１２０の方向に向けられる。第１の部分１５７に沿う第２の接触表面１６４の滑動を可能にする利点は、それがバネアーム１４０，１６０間のより大きな範囲の変位を可能にすることである。第１の接触表面１５２に対する第２の接触表面１６４の滑動を可能にする別の利点は、接触表面が、接触表面を横切る電気的連絡を妨害可能な任意の形成されたゴミを清浄するように拭うことができることである。バネアームを変位させる力が取り除かれると、第２の接触表面１６４は、ベローズレッグ１５４に沿って滑って戻り、それにより接点１００にその初期の変位していない形状を回復させることが可能である。
【００２２】
発明的な接点１００の別の利点は、図９を参照して実証され、図９はその初期の変位していない形状１７０及び変位させられた形状１７１の両者の状態の接点１００を示す。好適な実施の形態において、第２の接触表面１６４とベローズレッグ１５０との間の滑動の方向は、第１と第２のバネアーム１４０，１６０が変位する平面に垂直である。この好適な構成は、第１と第２のバネアーム１４０，１６０を変位させる力が取り除かれると、その初期の変位していない形状を回復させるための接点の能力を向上させる。初期の変位において、変位力は、バネアーム１４０，１６０により発生させられる上方向及び下方向の弾性力を超えなければならない。変位力及び弾性力を表すベクトルは、矢印１７３で示されるように、垂直平面において方向付けられる。
【００２３】
第１と第２の接触表面１５２，１６４がお互いに接触し、お互いに沿って滑動するので、変位力が更に加えて打ち勝たなければならない摩擦力が生成される。しかし、摩擦力に関する力のベクトルは、矢印１７３で示されるように、水平平面において実質的に方向付けられており、従って変位力に対して垂直である。従って、摩擦力は、垂直な変位力を実質的に対向しない。変位力が取り除かれ、弾性力が第１と第２のバネアーム１４０，１６０を初期の位置に変位させると、摩擦力はベローズレッグ１５０に沿う第２の接触表面の滑動に逆らおうと試みる。摩擦抵抗力は弾性力に対して垂直であるので、それらは接点の回復に実質的に影響を及ぼさない。
【００２４】
図示される接点に関する変位と力との間の関係は、図１０に示されるグラフにより表すことが可能であり、図１０において、力１７４は垂直軸により表されており、その一方で変位１７５は水平軸により表される。図１０のグラフは、発明的接点のコンピュータ支援の有限要素分析によるシミレーション（模擬実験）により生成されたデータを示す。曲線１７６は、バネアームの初期変位に関する力と変位の関係を示しており、同図において曲線１７７はバネアームの回復を示している。示されるように、曲線１７６は、回復曲線１７７が水平軸と交差する場所の左において、水平軸から始まっている。この差異は、接点製造後の初期の変位サイクルにおいて発生する、金属製接点の冷間加工を表す。記述した冷間加工は、接点がその変位前の形状に完全に回復することを防止する永久的残留歪（セット）を生じる。
【００２５】
曲線１７８は同図において、バネアームの任意のその後の変位を表す。認識されるように、曲線１７８により表されるようなその後の変位からのバネアームの回復は、その後の回復曲線１７９に沿って生じる。従って、接点の初期冷間加工を考慮した後に、接点は同じ形状に実質的に戻る。更に、その後の変位において生成された曲線１７８は、回復において生成された曲線１７９と実質的に同様である。
【００２６】
上記のことから、発明的接点は、変位、弾性及び摩擦力が全て同一平面内において方向付けられる従来技術の接点に対して実質的に改善されるものであることが認識される。その様な従来技術の接点１８０の例が、図１１に示されており、その初期の変位されない形状１８２とその変位された形状１８３の両者が示される。従来技術の接点１８０は、中心部１８４と、対向する弾性のある第１と第２のバネアーム１８５，１８６と、各バネアーム１８５，１８６の自由端に配置される内側に伸張する指部１８７，１８８とを具備する。指部１８７，１８８は、重なる関係でお互いに係合する。変位、弾性及び摩擦力が全て、矢印１８９で指定される垂直平面内において方向付けられる。変位力が取り除かれて、第１と第２のバネアーム１８５，１８６がそれらの初期位置に戻ろうとすると、摩擦力が弾性力に抵抗する。もし弾性力が摩擦力に打ち勝つのに十分でなければ、バネアーム１８５，１８６はそれらの初期の位置に戻ることはない。
【００２７】
この接点に関する力対変位のグラフは、図１２に示されており、力１９０は垂直軸により表されており、変位１９２は水平軸により表される。前のように、差異が、初期変位を表す曲線１９４と、接点の初期の冷間加工及び引き起こされた永久歪（セット）による回復を表す曲線１９５との間に存在する。バネアームのその後の変位が、曲線１９６により表されており、更に同図において、その後の回復が曲線１９７により表される。図示されるように、実質的な差異が、その後の変位において生成される曲線１９６とその後の回復曲線１９７との間に存在しており、２つの曲線１９６，１９７は履歴現象模様を形成する。この履歴現象は、対向する摩擦力に打ち勝たなければならない弾性力を表す。この問題は、摩擦力が弾性力に対して垂直方向となるような図９に示される本発明の接点１００を形成することにより回避される。
【００２８】
電気接点は、所望の弾性特性を有する任意の適切な導電性材料から製造可能である。接点は、例えば、厚みが０．０３８から０．０７６ｍｍ（０．００１５から０．００３０インチ）の間の範囲にある金属製シート（薄板状）材料から製造されることが好ましい。例えば、図１３に示されるように、平らなブランク（白紙体）１８０が、中心部１２０、バネアーム１４０，１６０及びベローズレッグ１５０を含む接点の全ての形態を平らにされた配置において具備する、シート材料から型打ち抜きされることができる。従って、ブランク１８０の型打ち抜きは、これらの形態の幅１３６を前もって決める。平らなブランク１８０はその後、一連の成形作業工程を通して加工されて、図４に示す形状の接点１００を形成することができる。成形作業工程は、シート材料の永久的冷間加工によりバネアーム１４０，１６０とベローズレッグ１５０の曲線形状を形成する。シート材料の使用は、選択されたシート材料の厚みの適切な選定により、弾性特性にある程度の影響を与える。シート材料及び形成される寸法により、電気接点のバネアームがお互いに向かって変位可能であり、多数のサイクルにわたって回復可能であることが好ましい。
【００２９】
開口内に接点を保持するために、接点は、絶縁性ハウジングに係合可能な１つ以上の保持部材を具備可能である。例えば、図４に示す実施の形態において、保持部材は、保持翼２００として形成可能である。保持翼２００は、上部肩部２０４と下部肩部２０６との間で伸張する中央部１２０の第１の側部１３０から突き出る構造であり、垂直方向において中心部と同一平面にある。第２の保持翼２０２は、中心部の第２の側部１３２から伸張可能であり、同様に、上部と下部の肩部２０８，２１０間において伸張可能である。図１３に示すように、第１と第２の保持翼２００，２０２は平らなブランクの一体の部分として、形成されることが好ましい。
【００３０】
図３と１４に示されるように、保持翼２００，２０２は、一方の端部において開口をかなり広げる開口１１２のいずれかの側部に形成される垂直のスロット（開口）２２０，２２２により収容可能である。スロット２２０，２２２は、第２の表面１１６から第１の表面１１４に向かう途中に配置されており、２つのそれぞれの出っ張り２２４，２２６において終結する。接点１００が開口内に挿入されると、保持翼の上部肩部２０４，２０６は出っ張り２２４，２２６に隣接する。第２の表面１１６から出っ張り２２４，２２６までのスロット２２０，２２２の寸法は、絶縁性ハウジング１１０内において接点を垂直方向で位置決めするように機能する。
【００３１】
図１５を参照すると、接点１００が挿入後に開口から逆戻って出ることを防止するために、２つの突起２２８，２３０が、保持翼２００，２０２の下部肩部の近位のスロットに形成される。突起２２８，２３０は、接点１００の挿入後に、スロット２２０，２２２を変形することにより形成可能である。この理由のために、絶縁性ハウジング１１０は、局部的加熱において柔らかくなることができる可鍛性材料から製作されることが好ましい。従って、保持部材２００，２０２は、出っ張り２２４，２２６及び突起２２８，２３０の間で先細り（テーパー）に形成されており、それにより接点は絶縁性ハウジング１１０内に保持される。
【００３２】
好適な実施の形態において、出っ張り２２４，２２６及び突起２２８，２３０の間のスロット２２０，２２２の長さは、上部肩部２０４，２０８とそれぞれの下部肩部２０６，２１０との間の保持翼２００，２０２の長さに比べて少しより大きい。更に、スロット２２０，２２２の寸法は、保持翼２００，２０２を形成するシートメタル（金属材料）の厚みに比べてより厚いことが好ましい。従って、接点は、絶縁性ハウジング１１０に対して少しの垂直及び／又は水平の動きが可能であり、従って、開口１１２内において浮遊可能である。
【００３３】
図７及び８から分かるように、接点１００を浮遊させることの利点は、第１と第２のバネアーム１４０，１６０が共に変位させられる場合に、接点が、開口内でそれ自身を再配置可能であることである。従って、パッド１０５が第１のランド表面１４２を押圧する場合に、浮遊する接点は、第１のランド表面の幅がパッドを実質的に横切って横たわるように、開口１１２内で移動可能である。同様な整列が、電気トレース１０７が第２のランド表面１６２を押圧する場合に形成可能である。従って、接点の挿入において整列不良の発生が低減される。接点がそれ自身を再配置可能にする関連する利点は、第１と第２のバネアーム間における引き起こされる力と歪みを均等化させることである。
【００３４】
図１６に示されるように、接点３００の別の実施の形態において、保持部材３１０，３１２は、曲げ可能な保持柱（ポスト）であり得る。挿入前に、保持柱３１０，３１２は、中心部３０２の両側部から伸張可能な垂直構造である。保持柱３１０，３１２は各々、保持柱に対して概略直角で曲げられる下部分３１４，３１６を具備する。従って、下部分３１４，３１６は、中心部３０２に対して垂直であり、第１と第２のバネアーム３０４，３０６が伸張する方向の実質的に反対の方向においてそこから突き出る。保持柱３１０，３１２はまた各々、絶縁性ハウジング内への挿入の前に、中心部３０２の平面に対して実質的に平行である、上部分３１８，３２０を具備する。図１７から分かるように、保持柱３１０，３１２は、形成された接点３００を生成するために使用される型打ち抜きされたブランク（白紙体）３２４の一体部分として形成可能であるので、従ってバネアーム３０４，３０６及び中心部３０２と同じ厚みを有する。
【００３５】
保持柱を係合するために、図１８に示すように、ハウジング３４０内に配設された開口３４２が、第１の端部３５２においてに比べて第２の端部３５０において実質的により幅広い。また、図１８と１９から分かるように、より幅広い第２の端部３５０は、第２の表面３４６において、に比べて第１の表面３４４において、開口３４２の全体長さに沿ってより遠くに伸張する。図２０を参照すると、絶縁性ハウジング３４０は、第１と第２の表面３４４，３４６から差し込まれた、第２の端部３５０の後部を横切り伸張する側壁３４８を具備する。接点３００が第２の表面３４６から開口内に挿入されると、曲がった下部分３１４，３１６は側壁３４８に対して隣接する。従って、側壁３４８が第２の表面３４４から差し込まれる寸法は、絶縁性ハウジング３４０内において接点３００を垂直方向で位置決めするように機能する。
【００３６】
接点３４０が開口３４２から逆戻りして出ることを防止するために、図２１に示すように、保持柱の上部分３１８，３２０は、側壁３４８を超えて曲げられることができる。側壁３４８はそれにより、上部分３１８，３２０と下部分３１４，３１６との間において捕らえられる。更に、図２１で分かるように、開口３４２のより幅広い第２の端部３５０内に上部分３１８，３２０と下部分３１４，３１６とを設置することにより、前記部分は絶縁性ハウジングの第１と第２の表面３４４，３４６を超えて突き出ることはない。上部分３１８，３２０を曲げるために、図１９を参照すると、ツール（工具）が、開口３４２のより幅広い第２の端部３５０を通り挿入可能で、上部分３１８，３２０に当たる。この理由のために、より幅広い第２の端部３５０は、第１の表面３４４に沿って開口３４２の全体長さのより大きな部分を形成する。加えて図１７に示すように、上部分３１８，３２０の曲げを容易にするために、保持柱は、適切な位置において切り口又はひだ折３２２を有して形成可能である。
【００３７】
開口３４２内に接点３００を保持するために曲げ可能な保持柱３１０，３１２を使用することの利点は、接点が開口に対してそれ自身を再配置可能であることである。特には、図２１に示すように、上部分３１８，３２０と下部分３１４，３１６が側壁に永久的に接続しないで、側壁を捕らえるので、接点は開口３４２に対してある程度まで浮遊可能である。接点を浮遊させることは、上記のごとく、ＩＣパッケージにおけるパッドと、基板における導電性トレースとの接触を、接点をパッド又は導電性トレースにそれ自身を整列可能にすることにより、最適化する。
【００３８】
これとは別の実施の形態において、図２２に示すように、接点４００は、中心部４０２のいずれかの端部から突き出る、第１と第２のツイスト（捻れ）翼４１０，４１２を具備可能である。ツイスト翼４１０，４１２は各々、中心部４０２の平面に捻られるか又は回される下部分４１４，４１６を具備する。ツイスト翼はまた各々、中心部４０２の平面に対して実質的に同一平面にある上部肩部４１８，４２０を具備する。図２３を参照すると、ツイスト翼４１０，４１２は、型打ち抜きされたブランク４２４の一体部分として最初は形成される。第１と第２のバネアーム４０４，４０６を形成する成形作業工程において、機械的な力が下部分４１４，４１６に作用されて、形成されたツイスト翼４１０，４１２の捻られた形状を形成する。
【００３９】
ツイスト翼に係合するために、図２４に示されるように、ハウジング４４０を通り配設された開口４４２は、開口のいずれかの側部に形成された２つのスロット４５０，４５２を具備する。図２４と２５から分かるように、スロットは、開口４４２の第２の端部４５４に設置されており、第２の表面４４６から第１の表面４４４に向かっての途中まで伸張する。従って、図２６に示されるように、スロット４５０，４５２は、２つのそれぞれの出っ張り４５６，４５８において終結する。接点４００が開口４４２内に挿入されると、上部肩部４１８，４２０は、出っ張り４５６，４５８に対して隣接し、出っ張り４５６，４５８はそれにより、ハウジング４４０に対して接点の垂直方向の位置を確立する。
【００４０】
接点４５０が開口４４２から逆戻りして出ることを防止するために、２つのスロット４５０，４５２の寸法は、捻られた下部分４１４，４１６の挿入が干渉して適合するようなものであることが好ましい。従って、接点４００は、絶縁性ハウジング４４０に結合されて、開口４４２に対して浮遊可能ではない。接点を絶縁性ハウジングに結合することの利点は、接点が分離する機会が、実質的に減少されることである。加えて、ツイスト翼４１０，４１２の部分で第１と第２の表面４４４，４４６のいずれかを超えて突き出て、マイクロチップ又は基板との電気的接触の確立を妨害する部分がないことが分かる。接点の挿入を容易にするために、開口４４２の第２の端部は、挿入ツールの使用を可能にする、第２の表面４４６内に配設される窪み４５６を具備可能である。
【００４１】
別の実施の形態において、図２７に示されるように、接点５００は、中心部５０２のいずれかの側部から突き出る第１と第２のとげ付き翼５１０，５１２を具備可能である。第１と第２のとげ付き翼５１０，５１２は、中心部５０２と実質的に同一平面にあり、中心部に取り付けられる実質的に垂直な柱構造５１４を具備する。上部ひげ５１６と下部ひげ５１８は、中心部に取り付けられた側部に対向する柱構造５１４から突き出る。図２８を参照すると、ひげ付き翼５１０，５１２は、上部及び下部のバネアーム５０４，５０６及び中心部５０２と共に、型打ち抜きされたブランク５２４の一体部分として最初は形成可能である。
【００４２】
とげ付き翼５１０，５１２を係合するために、図２９及び３０に示すように、第１と第２の表面５４４，５４６間の絶縁性ハウジング５４０を通り配設される開口５４２は、２つのスロット（開口）５５０，５５２を一方の端部において具備する。図３１に示すように、接点５００が開口５４２内に適切に挿入される場合に、とげ付き翼５１０，５１２はスロット５５０，５５２内に収容される。スロット５５０，５５２の寸法は、突き出る上部のとげ５１６に干渉して適合することを可能にするものであることが好ましい。従って、接点は絶縁性ハウジング５４０に結合されており、開口５５２内において浮遊可能ではない。
【００４３】
図２９に示すように、第１の窪み５５６は、その中にスロット５５０，５５２が形成される開口５４２の端部の近位の第２の表面５４６内に形成される。図３１に示すように、窪み５５６は、スロット５５０，５５２間の距離に比べてかなりより幅広いので、それにより窪みとスロットが交差する一対の出っ張り５６０，５６２を形成する。従って、接点５００が開口内に挿入される場合、下部のとげ５１８は、出っ張りに対して隣接可能であり、それにより接点を絶縁性ハウジング５４０に対して垂直方向で位置決め可能である。加えて、窪み５５６により、とげ付き翼５１０，５１２の一部分で第１又は第２の表面５４４，５４６のいずれかを幾分か超えて突き出て、マイクロチップ又は基板との電気的接触の確立を妨害するものはないことが分かる。
【００４４】
図２９に示すように、第２の窪み５５８がやはり、開口の近位の第２の表面５４６内に配設される。第２の窪み５５８は、第１の窪み５５６に対向して設置されており、第２の表面５４６においてバーベル（ひょうたん状の錘）形状を有する開口５４２を形成する。第２の窪み５５８は、開口５４２をかなりの広さで広げて、下部バネアーム５０６の端部において第２のランド表面５０７を収容する。従って図２８及び２９に示すように、第２のランド表面５０７は、第２のバネアーム５０６及び中心部５０２に比べてより幅広くなり得るので、それにより電気接触が形成できるより大きな表面積を提供する。
【００４５】
従って、本発明は絶縁性ハウジングを通り配設された開口内に保持可能な電気接点を提供する。接点は、開口内に設置された中心部から分岐する、２つの片持ち梁のバネアームを具備して、絶縁性ハウジングのいずれかの表面に対して設置されたパッド又はトレースに接触する。一方のバネアームは、第２のバネアームの近位まで伸張するベローズレッグを具備する。パッド及びトレースがハウジングに対して押圧される場合に、片持ち梁状のバネアームはお互いに向かって変位し、ベローズレッグは、第２のバネアームに接触して、接点を通る電気路を短縮することができる。本発明の別の形態において、接点は、保持部材を具備可能であり、前記保持部材は、実施の形態において、開口内において接点を浮遊するように保持しており、これとは別の実施の形態においては、接点を絶縁性ハウジングに結合する。
【００４６】
発行物、特許出願及び特許を含み且つ本明細書で引用された全て参考文献は、もし各参考文献が資料として組み込まれるように個別で且つ特別に指示され、更に本明細書においてその全体が記載されていた場合と同じ範囲で資料として本明細書に組み込まれる。
【００４７】
「１つの」及び「前記」という用語及び本発明の説明の記載（特には、添付の請求項の記載）における類似の参照符号の使用は、本明細書においてそうではないと指示されているか又は記載中に明確に否定されていない限り、単一型及び複数型の両者をカバーする（含む）ものと解釈されるべきである。本明細書において、値の範囲の記述については、本明細書においてそうではないと指示されていない限り、範囲内にある各個別の値に対して個別的に説明する簡略表現の方法として使用することが意図されており、各個別の値は、あたかもそれが本明細書において独自に引用されたかのように、明細書に組み込まれている。本明細書に記載された全ての方法は、本明細書においてそうではないと指示されているか又は記載中に明確に否定されていない限り、任意の適切な順序で実施可能である。本明細書に記載された任意の及び全ての例、又は例示の用語（例えば、「例えば」や「等」）の使用は、本発明をより良く分かり易くすることを意図しており、そうではないと請求項において記載されない限り、本発明の請求範囲を限定するものではない。本明細書における用語は、本発明の実施に本質的に必要なものとして、請求項に記載されない任意の要素を指示すると解釈されるべきではない。
【００４８】
本発明の好適な実施の形態は、本明細書において説明されており、発明者が考える本発明を実施するための最良の形態を含む。もちろん、これらの好適な実施の形態の変形形態は、当業者が本明細書を読めば、彼らにとって明白になる。発明者は、当業者がその様な変形形態を適切に使用することを期待しており、本発明が特に本明細書に記載されたもの以上の形で実施されることを意図している。従って、本発明は、法の許す範囲において、添付の請求項に記載される形態の全ての修正形態及び等価形態を含む。更に、それの全ての可能な変形形態における上記の要素の任意の組み合わせは、本明細書においてそうではないと指示されているか又は記載中に明確に否定されていない限り、本発明により包含される。
【図面の簡単な説明】
【００４９】
【図１】図１は、ＩＣパッケージと基板間の電気的連絡を提供するための本発明に従がう接点を有する電気コネクタを示す立体分解展開図である。
【図２】図２は、開口内に挿入された接点を具備するハウジングの第１の表面を示す図１の指定された部分の詳細図である。
【図３】図３は、ハウジングの対向する第２の表面を示す図２に示される図示部分の反対から見た詳細図である。
【図４】図４は、形成される電気コネクタの立体図である。
【図５】図５は、絶縁性ハウジングの開口に保持された変位していない接点を示す図２の線５−５に沿う横断面図であり、ＩＣパッケージと基板を示す。
【図６】図６は、図５に示す横断面図の立体図である。
【図７】図７は、ＩＣパッケージと基板間において変位させられた接点を示す図５と同様な横断面図である。
【図８】図８は、図７に示す横断面図の立体図である。
【図９】図９は、接点の変位において作用させられる力を図解する側面図である。
【図１０】図１０は、図９において作用させられる力を示すグラフである。
【図１１】図１１は、その接点の変位において作用させられる力を図解する従来技術の接点の側面図である。
【図１２】図１２は、図１１において作用させられる力を示すグラフである。
【図１３】図１３は、接点を形成するシートメタルから型打ち抜きされたブランク（白紙体）の頂部平面図である。
【図１４】図１４は、絶縁性ハウジングに保持された接点を示す図３の線１０−１０に沿う横断面立体図である。
【図１５】図１５は、保持スロット内に形成された突起を示す図３の線１０−１０に沿う横断面立体図である。
【図１６】図１６は、曲げ可能な保持翼により形成された接点の実施の形態の後部立体図である。
【図１７】図１７は、図１６の接点を形成するシートメタルから型打ち抜きされたブランク（白紙体）の頂部平面図である。
【図１８】図１８は、開口内に保持された図１６の接点を示す絶縁性ハウジングの第２の表面の詳細立体図である。
【図１９】図１９は、絶縁性ハウジングの第１の表面を図解する図１８に示す図の反対側から見た詳細立体図である。
【図２０】図２０は、側壁に対して隣接する曲げ可能な保持翼を示す図１８の線１６−１６に沿う横断面立体図である。
【図２１】図２１は、側壁を捕える保持翼を示す図１８の線１６−１６に沿う横断面立体図である。
【図２２】図２２は、ツイスト翼により形成された接点の実施の形態の後部立体図である。
【図２３】図２３は、図２２の接点を形成するシートメタルから型打ち抜きされたブランク（白紙体）の頂部平面図である。
【図２４】図２４は、開口内に保持された図２２の接点を示す絶縁性ハウジングの第２の表面の詳細立体図である。
【図２５】図２５は、絶縁性ハウジングの第１の表面を示す図２４に示す図を反対側から見た詳細立体図である。
【図２６】図２６は、開口内に保持された接点を示す図２４の線２６−２６に沿う横断面立体図である。
【図２７】図２７は、とげ付き翼により形成された接点の実施の形態の後部立体図である。
【図２８】図２８は、図２７の接点を形成するシートメタルから型打ち抜きされたブランク（白紙体）の頂部平面図である。
【図２９】図２９は、開口内に保持された図２７の接点を示す絶縁性ハウジングの第２の表面の詳細立体図である。
【図３０】図３０は、絶縁性ハウジングの第１の表面を示す図２９に示す図を反対側から見た詳細立体図である。
【図３１】図３１は、開口内に保持された接点を示す図２９の線３１−３１に沿う横断面立体図である。
【図１】
2007503103.tif 000002
【図２】
2007503103.tif 000003
【図３】
2007503103.tif 000004
【図４】
2007503103.tif 000005
【図５】
2007503103.tif 000006
【図６】
2007503103.tif 000007
【図７】
2007503103.tif 000008
【図８】
2007503103.tif 000009
【図９】
2007503103.tif 000010
【図１０】
2007503103.tif 000011
【図１１】
2007503103.tif 000012
【図１２】
2007503103.tif 000013
【図１３】
2007503103.tif 000014
【図１４】
2007503103.tif 000015
【図１５】
2007503103.tif 000016
【図１６】
2007503103.tif 000017
【図１７】
2007503103.tif 000018
【図１８】
2007503103.tif 000019
【図１９】
2007503103.tif 000020
【図２０】
2007503103.tif 000021
【図２１】
2007503103.tif 000022
【図２２】
2007503103.tif 000023
【図２３】
2007503103.tif 000024
【図２４】
2007503103.tif 000025
【図２５】
2007503103.tif 000026
【図２６】
2007503103.tif 000027
【図２７】
2007503103.tif 000028
【図２８】
2007503103.tif 000029
【図２９】
2007503103.tif 000030
【図３０】
2007503103.tif 000031
【図３１】
2007503103.tif 000032
【手続補正書】
【提出日】平成18年4月4日(2006.4.4)
【手続補正１】
【補正対象書類名】特許請求の範囲
【補正対象項目名】請求項３６
【補正方法】変更
【補正の内容】
【請求項３６】
前記浮遊する弾性のある接点は、前記絶縁性ハウジングに対して水平方向に移動可能である請求項３４に記載の電気コネクタ。
【国際調査報告】
2007503103.tif 000033
2007503103.tif 000034